(57)【要約】【課題】  スクリーン装置の開閉幅と開閉幅に直交する長さの比を拡大する。【解決手段】  固定枠１に対してスライド可能なスライドバー２からの展出と収納が自在とされた一対のスライドガイド３枠間に回転可能なローラーパイプ４が配置され、ローラーパイプはスライドバーのスライド方向のスライドも可能とされ、ローラーパイプには２枚のスクリーン５の一端部が固定され、スクリーンのローラーパイプの周りへの巻取りと引出しが可能とされ、ローラーパイプはコイルバネ７を内蔵し、スライドガイド枠の両端部はともに自由端とされ、スライドバーからの展出および収納とともに固定枠からの展出および収納が可能とされている。【選択図】図１
2007016404.tif 000002
【特許請求の範囲】
【請求項１】
固定枠に対してスライド可能なスライドバーからの展出と収納が自在とされた一対のスライドガイド枠間に回転可能なローラーパイプが配置され、ローラーパイプはスライドバーのスライド方向のスライドも可能とされ、ローラーパイプには２枚のスクリーンの一端部が固定され、スクリーンのローラーパイプの周りへの巻取りと引出しが可能とされ、ローラーパイプはコイルバネを内蔵し、スライドバーをスライドさせてスクリーンを引き出す際に、ローラーパイプは回転するとともにスライドバーのスライド方向にスライドし、コイルバネに弾性復元力が蓄積され、蓄積された弾性復元力の解放により、スクリーンがローラーパイプの周りに巻き取られ、ローラーパイプは固定枠側にスライドし、スライドバーも固定枠側へスライドするスクリーン装置であって、スライドガイド枠の両端部はともに自由端とされ、スライドバーからの展出および収納とともに固定枠からの展出および収納が可能とされていることを特徴とするスクリーン装置。
【請求項２】
横開き式のスクリーン装置であって、下レールを備え、下側のスライドガイド枠の展出および収納が下レールに沿って行われ、スライドガイド枠の下端部内側に係合溝が形成され、下レールの上端部に、係合溝に係合可能な係合突起が形成されている請求項１記載のスクリーン装置。
【請求項３】
一対のスライドガイド枠間において、端部が、８の字状のループを形成する張力部材により結ばれ、張力部材が交差する部位に摩擦力発生部材が設けられ、張力部材は、摩擦力発生部材が有するＲ面に沿って配線されている請求項１または２記載のスクリーン装置。
【発明の詳細な説明】
【技術分野】
【０００１】
本願発明は、カーテン、ブラインド、網戸、さらに、間仕切り等として用いることのできるスクリーン装置に関するものである。
【背景技術】
【０００２】
多用途のスクリーン装置について、本出願人は、開閉操作が容易かつスムーズで安定するものを提案している（特許文献１）。
【０００３】
図６に示したように、固定枠１に対してスライド可能なスライドバー２が設けられている。一対のスライドガイド枠３が設けられ、スライドガイド枠３は、スライドバー２のスライドにともなってスライドバー２から展出し、また、スライドバー２の内部に収納される。一対のスライドガイド枠３間には、回転可能なローラーパイプ４が配置されている。ローラーパイプ４は、スライドガイド枠３に沿ったスライドも可能とされている。ローラーパイプ４には２枚のスクリーン５の一端部が固定されている。ローラーパイプ４が、図６に示した１本の場合、一端部がローラーパイプ４に固定されたスクリーン５の内の１枚のスクリーン５の他端部がスライドバー２に固定され、他の１枚のスクリーン５の他端部は固定枠１に固定される。２枚のスクリーン５は、スクリーン装置の開時には、ローラーパイプ４の周りに巻き取られるようになっている。ローラーパイプ４にはコイルバネが内蔵されており、スクリーン装置の閉時に、スライドバー２をスライドさせ、スクリーン５を引き出すと、ローラーパイプ４は回転するとともにスライドバー２のスライド方向にスライドし、コイルバネに弾性復元力が蓄積される。スクリーン装置の開時には、コイルバネに蓄積された弾性復元力が解放されることにより、ローラーパイプ４が逆回転し、スクリーン５を巻き取り、固定枠１側へスライドし、スライドバー２を固定枠１側へとスライドさせる。
【特許文献１】特願２００４−１７６０８６
【発明の開示】
【発明が解決しようとする課題】
【０００４】
スライドガイド枠３は、複数の剛性ユニット６が連結して形成され、一方向へは屈曲可能であるが、他方向へは屈曲せず、直線性を保持するものであり、固定枠１に一端部が固定されている。スクリーン装置の開時には、一対のスライドガイド枠３はそのほぼ全体がスライドバー２の内部に収納される。このため、スライドガイド枠３の展出長さは、スライドバー２の長さの略半分までであり、スクリーン装置の開閉幅と開閉幅に直交する長さの比は所定範囲に制約されている。
【０００５】
本願発明は、このような事情に鑑みてなされたものであり、スクリーン装置の開閉幅と開閉幅に直交する長さの比を拡大することのできるスクリーン装置を提供することを課題としている。
【課題を解決するための手段】
【０００６】
本願発明は、上記の課題を解決するために、第１には、固定枠に対してスライド可能なスライドバーからの展出と収納が自在とされた一対のスライドガイド枠間に回転可能なローラーパイプが配置され、ローラーパイプはスライドバーのスライド方向のスライドも可能とされ、ローラーパイプには２枚のスクリーンの一端部が固定され、スクリーンのローラーパイプの周りへの巻取りと引出しが可能とされ、ローラーパイプはコイルバネを内蔵し、スライドバーをスライドさせてスクリーンを引き出す際に、ローラーパイプは回転するとともにスライドバーのスライド方向にスライドし、コイルバネに弾性復元力が蓄積され、蓄積された弾性復元力の解放により、スクリーンがローラーパイプの周りに巻き取られ、ローラーパイプは固定枠側にスライドし、スライドバーも固定枠側へスライドするスクリーン装置であって、スライドガイド枠の両端部はともに自由端とされ、スライドバーからの展出および収納とともに固定枠からの展出および収納が可能とされていることを特徴としている。
【０００７】
本願発明は、第２には、横開き式のスクリーン装置であって、下レールを備え、下側のスライドガイド枠の展出および収納が下レールに沿って行われ、スライドガイド枠の下端部内側に係合溝が形成され、下レールの上端部に、係合溝に係合可能な係合突起が形成されていることを特徴としている。
【０００８】
本願発明は、第３には、一対のスライドガイド枠間において、端部が、８の字状のループを形成する張力部材により結ばれ、張力部材が交差する部位に摩擦力発生部材が設けられ、張力部材は、摩擦力発生部材が有するＲ面に沿って配線されていることを特徴としている。
【発明の効果】
【０００９】
本願の第１の発明によれば、スライドガイド枠はスライドバーの内部だけでなく、固定枠の内部にも収納可能なため、スライドガイド枠の展出長さがスライドバーの長さのみに制約されず、長くなる。したがって、スクリーン装置の開閉幅と開閉幅に直交する長さの比を拡大することができる。
【００１０】
本願の第２の発明によれば、風圧、接触等により横方向に力がスライドガイド枠に加わっても、スライドガイド枠が浮き上がったり、下レールから外れたりするのが防止される。スクリーン装置は閉状態を安定に保つことができる。
【００１１】
本願の第３の発明によれば、摩擦力発生部材において張力部材に発生する摩擦力を利用してスライドバーの固定枠側へのスライドを制動することができる。スクリーン装置の開時の安全性が向上する。
【発明を実施するための最良の形態】
【００１２】
図１は、本願発明のスクリーン装置の一実施形態を示した一部切欠正面図である。
【００１３】
本実施形態では、固定枠１に対して水平方向にスライド可能なスライドバー２が設けられている。スライドガイド枠３は、上下に一対として設けられており、各スライドガイド枠３は、複数の剛性ユニット６の連結によって形成されている。スライドガイド枠３は、一方向への屈曲が可能とされ、他方向には屈曲せず、直線性を保つようになっている。スライドガイド枠３の両端部は自由端とされ、スライドバー２と固定枠１の両方に展出および収納可能となっている。すなわち、スライドガイド枠３は、スライドバー２のスライドにともなってスライドバー２および固定枠１から展出し、また、スライドバー２および固定枠１の内部に収納される。展出した状態において、スライドガイド枠３は、それぞれ、スクリーン装置の上枠、下枠を構成する。
【００１４】
一対のスライドガイド枠３間には、回転可能なローラーパイプ４が配置されている。ローラーパイプ４は、スライドバー２のスライド方向のスライドも可能とされている。ローラーパイプ４には２枚のスクリーン５の一端部が固定されている。各スクリーン５の他端部は、スライドバー２、固定枠１のそれぞれに固定され、スクリーン５はローラーパイプ４の周りに巻き取られるようになっている。ローラーパイプ４は、コイルバネ７を内蔵している。スクリーン装置の閉時に、スライドバー２を水平方向にスライドさせると、ローラーパイプ４が回転し、スクリーン５がローラーパイプ４から引き出される。同時に、スライドガイド枠３がスライドバー２および固定枠１から展出する。スライドバー２のスライドにともなってローラーパイプ４はスライドガイド枠３の展出方向にスライドする。この時、ローラーパイプ４に内蔵されたコイルバネ７には弾性復元力が蓄積される。このため、スクリーン装置の閉時には、スクリーン装置は開く方向に常に付勢されるようになっている。
【００１５】
スクリーン装置の開時にはコイルバネ７に蓄積された弾性復元力を解放させる。すると、ローラーパイプ４は逆回転し、周りにスクリーン５を巻き取りながらスライドガイド枠３の収納方向、すなわち、固定枠１側にスライドする。この時、スクリーン５が固定されているスライドバー２も固定枠１側へスライドする。スライドガイド枠３は、スライドバー２および固定枠１の内部に収納される。
【００１６】
本実施形態では、スライドガイド枠３の一端部を固定枠１に固定せず、両端部を自由端としているため、スクリーン装置の開時には、スライドバー２のみならず、固定枠１の内部にもスライドガイド枠３を収納することができる。したがって、スライドガイド枠３の展出長さは、スライドバー２の長さの略半分と固定枠１の長さの略半分をたし合わせた長さにまで延長することができる。スクリーン装置の開閉幅の、開閉幅に直行する方向の長さ、すなわち、スクリーン装置の高さに対する比が、図６に示した先に提案したスクリーン装置に比べ拡大する。このため、スクリーン装置の設計の自由度が向上する。
【００１７】
また、本実施形態では、下枠を構成するスライドガイド枠３は、下レール８に沿って展出および収納するようにしている。下レール８は、スライドガイド枠３の展出および収納のガイドとなっている。下枠を構成するスライドガイド枠３および下レール８の詳細は、図２の断面図に示した通りである。
【００１８】
スライドガイド枠３を形成する剛性ユニット６は、左右の側壁部９と、側壁部９の高さ方向の略中央において両側壁部９を連結する架橋部１０とを有している。左右の側壁部９の下端部内側には、外方に切り欠かれた係合溝１１が形成されている。下レール８は、上端部に、左右両側方に突出する係合突起１２を有している。係合突起１２は係合溝１１に係合可能とされている。風圧、接触等により横方向からスライドガイド枠３に力が加わると、下レール８の係合突起１２がスライドガイド枠３の係合溝１１に係合し、スライドガイド枠３が浮き上がったり、下レール８から外れたりするのが防止される。スクリーン装置は、閉状態を安定に保つことができる。
【００１９】
図１に示した実施形態では、スライドガイド枠３のスムーズで安定した展出および収納を可能とするために、一対のスライドガイド枠３間において端部を紐等の張力部材１３で結んでいる。張力部材１３は、８の字状のループを形成しており、スライドバー２、固定枠１のそれぞれに内蔵されている。
【００２０】
そして、図１に示した実施形態では、スライドバー１の内部において張力部材１３が交差する部位に摩擦力発生部材１４が配設されている。図３は、摩擦力発生部材１４を拡大して示した背面図である。
【００２１】
摩擦力発生部材１４は、Ｒ面１５、１６、１７、１８を上下左右の四箇所に有している。張力部材１３は、摩擦力発生部材１４のＲ面１５、１６、１７、１８に沿って交差する。Ｒ面１５に沿って配線された張力部材１３はＲ面１８に向かい、Ｒ面１８に沿って摩擦力発生部材１４の外部へと出る。Ｒ面１７に沿って配線された張力部材１３はＲ面１６に向かい、Ｒ面１６に沿って摩擦力発生部材１４の外部に出る。８の字状のループを形成する一対のスライドガイド枠３の端部に結ばれた張力部材１３には、摩擦力発生部材１４のＲ面１５、１６、１７、１８と接触することで摩擦力が発生する。摩擦力は、スライドバー２の固定枠１側にスライドする際の制動力として作用する。図１に示したように、ローラーパイプ４はコイルバネ７を内蔵しており、スクリーン装置の閉時にはスクリーン装置は開く方向に常に付勢されている。スクリーン装置の開時にはコイルバネ７に蓄積される弾性復元力を利用し、これを解放させるが、その際に、スライドバー２が勢いよく固定枠１側へスライドするため、危険でもある。摩擦力発生部材１４において張力部材１３に発生する摩擦力は、スライドガイド枠３の収納スピードを減速させるように作用し、その結果、スライドバー２のスライドが制動される。スライドバー２のスライドは緩やかとなり、安全となる。
【００２２】
このような摩擦力発生部材１４は、たとえば図４に示したようにしてスライドバー２の内部に組み込むことができる。スライドバー２に張り出し部１９を設け、張り出し部１９の内側から嵌合可能な嵌合部２０を摩擦力発生部材１４に一体に配設する。嵌合部２０と張り出し部１９の当接面には両面粘着テープを介在させ、摩擦力発生部材１４の固定を強固なものとする。Ｒ面１５、１６、１７、１８は、スライドバー２の所定位置に配置される。
【００２３】
なお、図１に示した実施形態では、摩擦力発生部材１４は、スライドバー２の内部にのみ設けられているが、固定枠１の内部にも設けることができる。固定枠１の内部に配設された張力部材１３の交差する部位に摩擦力発生部材１４を介在させることができる。固定枠１の内部にも摩擦力発生部材１４を設けることで、スライドバー２の固定枠１側へのスライドがより制動され、安全性が高まる。
【００２４】
図１に示した実施形態において、スクリーン５は、織布、不織布、フィルム、シート、メッシュ等のいずれとすることができるが、織布やメッシュの場合、図５に示したように、縦糸２１の径ｄ１を横糸２２の径ｄ２より大きくすることが好ましい。大径の縦糸２１によってスクリーン５の剛性を確保しながら、小径の横糸２２によってローラーパイプ４に巻き付きやすいものとなる。具体的には、縦糸２１および横糸２２はともにポリプロピレン製で、縦糸２１の径ｄ１は２５０Ｄ〜３５０Ｄ、横糸２２の径ｄ２は２００Ｄ〜３００Ｄが例示される。
【００２５】
また、図１に示した実施形態には、スクリーン装置を閉状態に保持させるためのストッパー機構が設けられている。ストッパー機構は、固定枠１に対向して配置された縦枠２３に取り付けられ、上下にスライドするレバー２４と、スライドバー２に設けられた開口部材２５とを有している。開口部材２５は開口２６を備えている。開口２６に対向してレバー２４には横方向に突出するフック２７が設けられている。フック２７はレバー２４と一体となっており、レバー２４のスライドにともなってフック２７も上下に移動する。
【００２６】
スクリーン装置の閉時にスライドバー２を縦枠２３までスライドさせると、開口部材２５の開口２６にフック２７が入り込み、先端が、開口２６の周縁の開口部材２５に引っ掛かる。この引っ掛かりにより、スクリーン装置は開く方向に付勢されているものの、スライドバー２の移動が制止され、スクリーン装置は閉状態を安定に保持する。
【００２７】
スクリーン装置を開ける際には、レバー２４を上向きに押し上げる。すると、フック２７が上に移動し、先端が開口２６の周縁から外れ、引っ掛かりが解除される。スライドバー２の固定枠１側へのスライドが可能となる。なお、レバー２４には、下向きに付勢するバネ等の弾性部材を接続することができ、フック２７の引っ掛かりの解除にともなって、レバー２４を初期位置に自動的に復帰させることができる。
【図面の簡単な説明】
【００２８】
【図１】本願発明のスクリーン装置の一実施形態を示した一部切欠正面図である。
【図２】スライドガイド枠および下レールの詳細を示した断面図である。
【図３】摩擦力発生部材を拡大して示した背面図である。
【図４】摩擦力発生部材のスライドバー内部への組込みを示した断面図である。
【図５】スクリーンの一形態を示した要部拡大図である。
【図６】先に提案したスクリーン装置の正面図である。
【符号の説明】
【００２９】
１    固定枠
２    スライドバー
３    スライドガイド枠
４    ローラーパイプ
５    スクリーン
６    剛性ユニット
７    コイルバネ
８    下レール
９    側壁部
１０    架橋部
１１    係合溝
１２    係合突起
１３    張力部材
１４    摩擦力発生部材
１５、１６、１７、１８    Ｒ面
１９    張り出し部
２０    嵌合部
２１    縦糸
２２    横糸
２３    縦枠
２４    レバー
２５    開口部材
２６    開口
２７    フック
【図２】
2007016404.tif 000003
【図４】
2007016404.tif 000004
【図１】
2007016404.tif 000005
【図３】
2007016404.tif 000006
【図５】
2007016404.tif 000007
【図６】
2007016404.tif 000008